(57)【特許請求の範囲】
【請求項１】
受信機から導出された感知回線の接続される係合端子を有して天井面等の建物側に設置されるベースと、前記係合端子と係合する端子片を有して同ベースに着脱自在に装着され、検知対象の所定事態変動による物理量変化を感知して前記受信機へ信号出力する感知器本体とを備え、その信号出力のあったことを表示するとともに信号出力のないときには消灯している動作確認灯を同感知器本体または前記ベースに有してなる感知器において、
前記ベースに着脱自在に装着される前記感知器本体に、前記ベースへの装着時に前記感知回線からベースへの給電状態であることを検出し前記動作確認灯を一時的に点灯あるいは点滅表示させる給電検出部を設けたことを特徴とする感知器。
【請求項２】
前記給電検出部を、前記動作確認灯の点灯制御手段に並列接続させたコンデンサとし、該動作確認灯を同コンデンサへの前記感知回線からの給電電圧による充電電流にて点灯させる請求項１記載の感知器。
【請求項３】
前記給電検出部を、前記感知回線からの給電電圧が所定の電圧範囲から外れたときに前記動作確認灯の点灯状態を該給電電圧が所定の電圧範囲内のときとは異なって表示させる請求項１記載の感知器。
【請求項４】
請求項１乃至３のいずれか一つの請求項に記載の感知器本体を、前記感知回線から前記ベースへの給電状態とした後にそのベースに装着させ、その装着時の前記動作確認灯の点灯あるいは点滅表示にて感知回線からベースへの導通又は感知回線からの給電状態の確認を行うことを特徴とする感知回線の状態確認方法。
【発明の詳細な説明】
【０００１】
【発明の属する技術分野】
本発明は、火災感知器、あるいは防犯検知器等の感知器及び感知回線の状態確認方法に関するものである。
【０００２】
【従来の技術】
従来、火災感知器として、例えば図６（ａ）に示す煙感知器１００のように、建物側となる建家の天井面等に設置されるベース１０１と、所定事態変動に相当する、所定区域の火災発生により生ずる物理量となる煙発生を感知するための感知器本体１０３とを備える構成のものが提案されている。この煙感知器１００のような火災感知器は、受信機である火災受信機等のセンター装置から、感知回線となる給電線を兼ねた信号線Ｌが天井裏等に敷設されて配線され、ベース１０１に接続されて自動火災報知設備を構成している。
【０００３】
感知器本体１０３のケース１０４には、背面側に例えば側面視略Ｌ字状に折曲形成された端子片が設けられ、また、この場合表面側には、図６（ｂ）に示すように、ＬＥＤ素子にて形成された、火災発生による煙発生量が所定以上あったことを感知して火災受信機へ信号出力したことを表示する動作確認灯１０５が配設されている。動作確認灯１０５は、火災受信機への火災報知のあったときにその報知を行った火災感知器の特定、あるいは、定期点検のときに実際に火災感知器を作動させた際に表示をさせるもので、自動火災報知設備の通常運用時には消灯している。この動作確認灯１０５は、上記以外の構成として、図６（ｃ）に示すようにベース１０１側の周縁等に設けられることがある。
【０００４】
感知器本体１０３は、ベース１０１とは互いに所定方向に相対回転させて着脱自在に嵌合される。すなわち、上記端子片とベース１０１側の係合端子１０２とが係合され、電気的に接続されるとともに機械的に結合される。なお、感知器本体１０３をベース１０１から取り外す場合には、この結合するときと反対方向に回転させ離脱することができる。
【０００５】
上記した煙感知器１００の施工は、まず、信号配線をベース１０１の係合端子１０２に設けられている端子装置（図示せず）に配線し、図示していない取付孔によってスイッチボックス等の取付部に固着して天井面等に設置する。次いで、感知器本体１０３を、ベース１０１の基台となるベースボディの係止突起（図示せず）に係合させてベース１０１に取着した後、互いに所定方向に相対回転して端子片を係合端子１０２に係合して電気的且つ機械的に結合させ設置する。すなわち、この結合時に上記端子片が係合端子１０２に嵌合して電気的に接続される。
【０００６】
【発明が解決しようとする課題】
ところで、上記の感知器の設置に際しては、感知回線となる火災受信機からベース１０１までの信号線Ｌの導通状態の確認を、ベース１０１に設けられている係合端子１０２に電気テスターの測定端子を当てたり、あるいは、専用の導通テスターを使用して行っていた。そのため、高所での確認作業が煩わしく手間がかかるとともに、配線確認のための機器の準備を必要とする手間のかかるものである。
【０００７】
本発明は、上記事由に鑑みてなしたもので、その目的とするところは、高所において配線確認がし易く、また専用の機器を使用すること無く感知回線の導通確認を容易に実施できる感知器及び感知回線の導通確認方法を提供することにある。
【０００８】
【課題を解決するための手段】
上記目的を達成するために、本発明の感知器にあっては、受信機から導出された感知回線の接続される係合端子を有して天井面等の建物側に設置されるベースと、前記係合端子と係合する端子片を有して同ベースに着脱自在に装着され、検知対象の所定事態変動による物理量変化を感知して前記受信機へ信号出力する感知器本体とを備え、その信号出力のあったことを表示するとともに信号出力のないときには消灯している動作確認灯を同感知器本体または前記ベースに有してなる感知器において、前記ベースに着脱自在に装着される前記感知器本体に、前記ベースへの装着時に前記感知回線からベースへの給電状態であることを検出し前記動作確認灯を一時的に点灯あるいは点滅表示させる給電検出部を設けたことを特徴としている。
【０００９】
この構成にて、感知器の感知器本体をベースへ装着させたときに、感知回線が給電状態であることが給電検出部にて検出されて、そこから受信機へ信号出力のあったことを表示する、感知器本体またはベースに設けられている動作確認灯が一時的に点灯あるいは点滅表示される。
【００１０】
そして、上記給電検出部を、前記動作確認灯の点灯制御手段に並列接続させたコンデンサとし、該動作確認灯を同コンデンサへの前記感知回線からの給電電圧による充電電流にて点灯させることが好ましい。この場合、感知器の感知器本体をベースへ装着させたときに、感知器本体またはベースに設けられている動作確認灯が、感知回線からの給電によるその点灯制御手段に並列接続されたコンデンサへの充電電流にて点灯される。
【００１１】
また、上記給電検出部を、前記感知回線からの給電電圧が所定の電圧範囲から外れたときに前記動作確認灯の点灯状態を該給電電圧が所定の電圧範囲内のときとは異なって表示させることも好ましい。この場合、感知回線からの給電電圧が所定の電圧範囲から外れたことが、感知器の感知器本体をベースへ装着させたとき動作確認灯が、その点灯状態を該給電電圧が所定の電圧範囲内のときとは異なって表示される。
【００１２】
また、本発明の感知回線の状態確認方法にあっては、上記の感知器本体を、前記感知回線から前記ベースへの給電状態とした後にそのベースに装着させ、その装着時の前記動作確認灯の点灯あるいは点滅表示にて感知回線からベースへの導通又は感知回線からの給電状態の確認を行うことを特徴としている。
【００１３】
【発明の実施の形態】
図１、図２は、本発明の、請求項１、２、４に対応する第１の実施の形態を示し、図３乃至５は、請求項３に対応する第２の実施の形態を示している。
【００１４】
［第１の実施の形態］
図１は、本発明の第１の実施の形態の感知器の概略構成を示すブロック図、図２は、同感知器の別実施例の概略構成を示すブロック図である。
【００１５】
この実施の形態の感知器は、受信機（図示せず）から導出された感知回線９の接続される係合端子３を有して天井面等の建物側に設置されるベース２と、前記係合端子３と係合する端子片４１を有して同ベース２に着脱自在に装着され、検知対象の所定事態変動による物理量変化を感知して前記受信機へ信号出力する感知器本体４とを備え、その信号出力のあったことを表示するとともに信号出力のないときには消灯している動作確認灯８を同感知器本体４または前記ベース２に有してなる感知器１において、前記感知器本体４に、前記ベース２への装着時に前記感知回線９からの給電状態であることを検出し前記動作確認灯８を一時的に点灯あるいは点滅表示させる給電検出部７を設けている。
【００１６】
また、該実施の形態の感知器１においては、前記給電検出部７を、前記動作確認灯８の点灯制御手段に並列接続させたコンデンサ７１とし、該動作確認灯８を同コンデンサ７１への前記感知回線９からの給電電圧による充電電流にて点灯させてもいる。
【００１７】
詳しくは、この感知器１は、例えば、従来の技術の項にて述べたものと同じような火災感知器となる煙感知器で、図１のブロック図に示す如く、ベース２と感知器本体４とを備えており、この場合、動作確認灯８が、図６（ｂ）に示したように感知器本体４の表面側に設けられて形成されている。
【００１８】
感知器本体４には、そのケース背面側に、例えば側面視略Ｌ字状に折曲形成された同図に示す端子片４１が設けられ、また、この場合、ＬＥＤ素子にて形成された動作確認灯８が、それに直列接続された点灯制御手段となるサイリスタ５４にて点灯制御されるようになっている。この感知器本体４には、火災感知回路部となる、比較器等を有して形成され火災発生による煙発生量が所定以上あったことを感知する火災判断回路５１と、投光素子と受光素子とを有して形成され、この火災判断回路５１へ煙検知信号と出力する火災検知部５２と、感知回線９からの給電電圧を所定電圧に安定化しこの各回路へ電源供給をおこなう電源回路５３とが設けられている。
【００１９】
サイリスタ５４は、火災判断回路５１からのそのゲート端子に火災感知信号が入力されたときに導通して動作確認灯８を点灯させるとともに、端子片４１，４１間の給電電圧を、動作確認灯８に直列接続されている抵抗Ｒ１によって決まる所定電圧値として火災報知をおこなう。
【００２０】
次に、この実施の形態の感知回線の状態確認方法を説明する。
まず、前記感知回線９から前記ベース２へ給電状態とさせる。すなわち、火災受信機の交流電源を投入させると、火災受信機から導出された感知回線９に接続されたベース２の係合端子３，３間には、大略２４Ｖの直流電圧が印加される。次いで、感知器本体４をベース２に所定方向に相対回転させてこの感知器本体４の端子片４１，４１をベース２の係合端子３，３に嵌合させ感知器本体４を装着させる。すると、感知器本体４をベース２へ装着させたときに感知回線９からの給電がなされ、感知器本体４に設けられている動作確認灯８が上記コンデンサＣへの充電電流にて一時的に点灯される。このようにして、感知回線９からベース２への導通状態の確認が容易なされるのである。このとき、感知器本体４に設けられている動作確認灯８が、感知回線９からの給電にてサイリスタ５４に並列接続されたコンデンサＣへの充電電流にて一時的に点灯されることにて、導通状態が簡単な構成にて検出できるのである。
【００２１】
なお、動作確認灯８は、図２に示すように、ベース２に設けても良い（図６（ｃ）も参照）。すなわち、この場合、動作確認灯８のＬＥＤ素子と抵抗Ｒ１との直列回路に並列に（Ｒ１＞Ｒ２）となる抵抗値関係の抵抗Ｒ２が設けられている。この場合、通常の監視状態においては抵抗Ｒ２を介して火災感知回路部への給電がなされ、また、火災発生による煙発生量が所定以上あったときには火災判断回路５１からサイリスタ５４のゲート端子に火災感知信号が入力され、サイリスタ５４が導通して動作確認灯８を点灯させる。
【００２２】
また、感知器本体４をベース２へ装着させたときには、前述の実施例のものと同様に感知回線９からの給電がなされるが、この場合、まずコンデンサＣへの充電電流にてベース２に設けられている動作確認灯８が一時的に点灯されるので、感知回線９からベース２への導通状態の確認が容易なされるのである。このようにして、通常は火災受信機へ信号出力したことを表示する動作確認灯８を利用して簡単な構成にてベース２への導通状態が検出されるのである。
【００２３】
したがって、以上説明した感知器及び感知回線の状態確認方法によると、感知器１の感知器本体４をベース２へ装着させたときに、感知回線９が給電状態であることがコンデンサ７１にて検出されて、そこから受信機へ信号出力のあったことを表示するとともに信号出力のないときには消灯している、感知器本体４またはベース２に設けられている動作確認灯８が一時的に点灯されるので、専用の機器を使用すること無く感知回線９の導通確認を容易に実施でき、また、高所において感知回線の配線確認もし易い。
【００２４】
そして、感知器１の感知器本体４をベース２へ装着させたときに、感知器本体４またはベース２に設けられている動作確認灯８が、感知回線９からの給電によるサイリスタ５４に並列接続されたコンデンサ７１への充電電流にて点灯されるので、ベース２から感知回線９の導通状態の確認を簡単な構成にて検出できる。
【００２５】
なお、上記の実施の形態の説明において、煙感知器を例示して説明したが、本発明はそのもののみに限定するものでなく、例えば火災感知回路部として熱を感知するサーミスタなどの熱検知素子を備えた火災感知用の熱感知器、あるいは各種センサに対応させた防犯検知回路部をもった防犯用の人体検知器等であっても良い。
【００２６】
［第２の実施の形態］
図３は、第２の実施の形態の感知器の概略構成を示すブロック図、図４は、同感知器の信号処理の概略を示すフローチャート、図５は、同感知器の別実施例を示す説明図である。
【００２７】
この実施の形態の感知器は、点灯制御手段及び火災感知回路部の構成のみが第１の実施の形態と異なるもので、他の構成は第１の実施の形態のものと同一で、該実施の形態の感知器１は、前記給電検出部７を、前記感知回線９からの給電電圧が所定の電圧範囲から外れたときに前記動作確認灯８の点灯状態を該給電電圧が所定の電圧範囲内のときとは異なって表示させている。
【００２８】
詳しくは、この感知器１は、火災の早期発見、あるいは非火災報と呼ばれている、例えば喫煙による煙などの火災以外の事象による誤った火災報知の軽減を目的として煙の感知量の時間的変化を検出する、アナログ式の自動火災報知システムに対応するもので、感知器本体４の表面側に動作確認灯８が設けられて形成されている。
【００２９】
この感知器１は、上記の火災判断回路に相当するＣＰＵ５５、及びこのＣＰＵ５５の処理プログラムを記憶させたＥＥＰＲＯＭ５６と、上記の、投光素子と受光素子とを有した火災検知部５２と、感知回線９からの給電電圧を所定電圧に安定化し各回路へ電源供給をおこなう電源回路５３とが火災感知回路部となる。
【００３０】
また、この感知器１の電源回路５３の入力側に、例えば受信機からの給電電圧の０〜３０Ｖまでの直流電圧変動を１〜５Ｖの電圧値変動に変換し出力する電圧検出回路６が設けられており、火災検知部５２からは、煙の感知量の時間的変化に対応したアナログ電圧信号がＣＰＵ５５へ入力されるようになっている。
【００３１】
ＣＰＵ５５は、図４に示すフローチャートに基づいて動作をおこなう。この感知器１においては、受信機からの給電電圧が１６〜３０Ｖであったときに所定の電圧範囲（適正電圧）であるとしており、そのときは感知器本体４をベース２へ装着させたときに動作確認灯８が一時点灯した後、直ちに消灯して通常動作に移行する。
【００３２】
具体的には、感知器本体４の端子片４１，４１をベース２の係合端子３，３に嵌合させ感知器本体４をベース２へ装着させると、まず、ＣＰＵ５５への電源リセットがなされる（ステップ１）。この電源リセットのなされたことがＣＰＵ５５にて検出されると動作確認灯８を瞬時点灯させる（ステップ２）。次いで、電圧検出回路６からの出力電圧値の確認がなされ、適正電圧の１６〜３０Ｖ（所定の電圧範囲）であるか否かが判定される（ステップ３）。このとき、所定の電圧範囲である場合、通常動作のステップ５へ移行する。また、所定の電圧範囲でない場合には、動作確認灯８を一定時間（例えば３秒程度）点滅させる（ステップ４）。その後、通常動作となるステップ５移行する。
【００３３】
なお、この通常動作へ移行した後、感知器１から電圧異常である旨の報知信号を出力させ、受信機側で感知回線９の電圧異常であることを回線番号とともに報知させても良い。これにより、例えば１つの感知回線に接続された感知器の多いとき、その感知回線全体の感知器の動作が不安定となって、機器異常となりやすい状態にて動作することが未然に防止できる。
【００３４】
したがって、以上説明した感知器によると、感知回線９からベース２への給電電圧状態を動作確認灯８の状態にて確認できるので、感知回線９からベース２への給電電圧状態を動作確認灯の状態にて確認でき、以て、施工品質の向上が図れる。
【００３５】
なお、この発明の感知器１は、勿論、図５（ａ）に示すように、電圧検出回路６を設けること無く形成し、同図（ｂ）に示すフローチャートのように、感知器本体４の端子片４１，４１をベース２の係合端子３，３に嵌合させ感知器本体４をベース２へ装着させたときに、ＣＰＵ５５への電源リセットがなされ（ステップ１）、この電源リセットのなされたことがＣＰＵ５５にて検出されると動作確認灯８を瞬時点灯させ（ステップ２）、その後、通常動作のステップ５へ移行するようにしても良い。
【００３６】
【発明の効果】
本発明は、上述の実施態様の如く実施されて、請求項１、４記載の感知器及び感知回線の状態確認方法にあっては、感知器の感知器本体をベースへ装着させたときに、感知回線が給電状態であることが給電検出部にて検出されて、そこから受信機へ信号出力のあったことを表示するとともに信号出力のないときには消灯している、感知器本体またはベースに設けられている動作確認灯が一時的に点灯あるいは点滅表示されるので、専用の機器を使用すること無く感知回線の導通確認を容易に実施でき、また、高所において感知回線の配線確認もし易い。
【００３７】
また、請求項２記載の感知器にあっては、感知器の感知器本体をベースへ装着させたときに、感知器本体またはベースに設けられている動作確認灯が、感知回線からの給電によるその点灯制御手段に並列接続されたコンデンサへの充電電流にて点灯されるので、ベースから感知回線の導通状態の確認を簡単な構成にて検出できる。
【００３８】
また、請求項３記載の感知器にあっては、感知回線からの給電電圧が所定の電圧範囲から外れたことが、感知器の感知器本体をベースへ装着させたとき動作確認灯が、その点灯状態を該給電電圧が所定の電圧範囲内のときとは異なって表示されるので、感知回線からベースへの給電電圧状態を動作確認灯の状態にて確認でき、以て、施工品質の向上が図れる。
【図面の簡単な説明】
【図１】本発明の第１の実施の形態の感知器の概略構成を示すブロック図である。
【図２】同感知器の別実施例の概略構成を示すブロック図である。
【図３】第２の実施の形態の感知器の概略構成を示すブロック図である。
【図４】同感知器の信号処理の概略を示すフローチャートである。
【図５】同感知器の別実施例を示す説明図である。
【図６】本発明の従来例である感知器を示す説明図である。
【符号の説明】
１    感知器
２    ベース
３    係合端子
４    感知器本体
４１  端子片
７    給電検出部
７１  コンデンサ
８    動作確認灯
９    感知回線
【図１】
0003714172.tif 000002
【図２】
0003714172.tif 000003
【図３】
0003714172.tif 000004
【図４】
0003714172.tif 000005
【図５】
0003714172.tif 000006
【図６】
0003714172.tif 000007